(57)【要約】【課題】外れ球となるべき遊技球に入賞口へ受け入れられるための再チャンスを与える装置を設けることで意外性を高め、興趣性を増大させる。【解決手段】再チャンス付与装置６は、遊技球を１個収納する球受け部６０と球受け部６０を遊技盤面１上で周回移動させる移送装置６１とを有する。移送装置６１は、始動入賞口４よりも下方の位置から上方の位置に亘る周回路である遊技盤面１に形成されたガイド孔６２と、遊技盤面１の裏面でガイド孔６２の上下両端位置に立直配置されたローラ６３，６４と、ローラ６３，６４間に掛け渡された無端ベルト６５と、ローラ６４に回転力を付与するモータ６７と、無端ベルト６５の適所に固設され、球受け部６０と係合する回動ピン６８とを備える。【選択図】　　　図１
2004049632.tif 000002
【特許請求の範囲】
【請求項１】
遊技盤面上を落下中の遊技球を受け入れて遊技状態に変更を与える入賞口と、入賞口に受け入れられない遊技球を回収するためのアウト口とを有する球遊技機において、アウト口に向かう遊技球の一部に対して再チャンスを与えるべく該一部の遊技球を入賞口への受け入れ可能な状態に戻す再チャンス付与装置を備えてなる球遊技機。
【請求項２】
前記入賞口は、遊技者に有利な遊技価値を確率的に付与するための始動入賞口であり、前記再チャンス付与装置は、前記始動入賞口よりも下方から上方に遊技球を移送する汲み上げ装置であり、前記汲み上げ装置は、落下中の遊技球であって前記汲み上げ装置に向けて落下してきた遊技球を収容する収容部と、前記収容部を前記始動入賞口よりも下方から上方の所定の位置まで移送して開放する移送手段とを備えることを特徴とする請求項１記載の球遊技機。
【請求項３】
前記収容部は少なくとも１個の遊技球が収納可能なバスケットであり、前記移送手段は、前記遊技盤面の前記始動入賞口よりも下方から上方に亘って切り欠かれたガイド孔と、前記遊技盤面の裏面側でガイド孔に沿って張設されたバスケット係合部と、バスケット係合部をガイド孔に沿って移動する移送駆動部とを有することを特徴とする請求項２記載の球遊技機。
【請求項４】
前記ガイド孔は前記遊技盤面に対して周回形状に形成され、前記バスケット係合部は無端ベルトであり、前記移送駆動部は無端ベルトを所定方向に周回駆動するものであることを特徴とする請求項３記載の球遊技機。
【請求項５】
前記収容部は少なくとも１個の遊技球が収納可能なバスケットであり、前記移送手段は、前記遊技盤面の前記始動入賞口よりも下方から上方に亘って切り欠かれた円環状のガイド孔と、前記遊技盤面の裏面側で前記ガイド孔の中心に回動軸を有し、該回動軸を回転させる移送駆動部と、前記回動軸から放射状に延設された少なくとも１本のスポークであって前記ガイド孔に対応する位置で前記バスケットと実質的に係合するバスケット係合部とを有することを特徴とする請求項２記載の球遊技機。
【請求項６】
前記遊技盤面上であって、前記バスケットが略上端位置に達したとき、該バスケットを収納遊技球を開放する姿勢に変更する姿勢変更部を備えたことを特徴とする請求項３〜５のいずれかに記載の球遊技機。
【請求項７】
前記移送手段は、遊技盤面の裏面側に立直され、上端に開口が形成された円筒体と、前記円筒体の内部に軸周りに回転可能に配設されたスパイラル体と、円筒体の下端に入った遊技球を上端に移送して上端の開口から外方へ開放するべく前記スパイラル体を回転させる移送駆動部とを有し、前記収容部は、円筒体の側面であって遊技盤面に面した下端に遊技球を取り込む開口と、前記下端の開口近傍に落下してきた遊技球を該開口に誘導する誘導部材とを有することを特徴とする請求項２記載の球遊技機。
【請求項８】
前記入賞口は、受け入れ口が所定の条件下で閉口から開口状態とされる大当り入賞口であり、前記再チャンス付与装置は、落下してくる遊技球を一時的に貯留する貯留装置であり、この貯留装置は、前記大当り入賞口の上方に配置され、複数の遊技球を貯留可能な貯留状態と下方に開放する開放状態とに切り換え可能な貯留部と、貯留部を前記所定の条件下で開放する切換部とを備えることを特徴とする請求項１記載の球遊技機。
【請求項９】
前記入賞口は、遊技者に有利な遊技価値を確率的に付与するための始動入賞口を備え、前記所定の条件は、前記遊技者に有利な遊技価値が付与されたことである請求項８記載の球遊技機。
【発明の詳細な説明】
【０００１】
【発明の属する技術分野】
本発明は、遊技盤面上を落下中の遊技球を受け入れて遊技状態に変更を与える入賞口と、入賞口に受け入れられない遊技球を回収するための回収用のアウト口とを有する球遊技機に関する。
【０００２】
【従来の技術】
従来、パチンコ遊技機は、遊技盤面上に遊技球を打ち出す操作部と、遊技盤面の中央やや下部位置に設けられ、遊技者に有利な遊技価値を確率的に付与するための始動入賞口と、その下部に設けられ、受け入れ口が所定の条件下で閉口から開口状態とされる大当り入賞口と、さらにその下方の最下位置に設けられ、始動入賞口及び大当り入賞口のいずれにも受け入れられずに、落下した外れ球を回収するアウト口とを備えた基本構造を有している。そして、始動入賞口を狙って遊技球を打ち出すように操作部の操作を行うことで、有利な遊技価値を獲得せんとしていた。また、遊技球の落下動作に変化性、意外性を与えて、興趣性の向上を図るべく、遊技盤面上に不規則な変化性を与えるための種々の役物を配設したものが知られている。
【０００３】
【発明が解決しようとする課題】
上述したように、遊技盤面上に打ち出された遊技球は、絶えず方向を変えながらも下方へ落下していき、始動入賞口、大当り入賞口で受け入れられない外れ球としての遊技球は一律にアウト玉となってアウト口から排出（回収）されていた。従って打球が遊技盤面の入賞口を通過した時点からは遊技者の興味が減殺されることとなっていた。また、遊技盤面上での遊技球の動きに対する遊技者の興趣を向上させるために種々の役物を配設したものも知られているが、いずれも入賞口の高さより上方位置を対象とするものであり、入賞口を通過した後は、同様にアウト口で回収されるだけであり、興趣性の点で一定の限界があった。
【０００４】
本発明は、上記に鑑みてなされたもので、外れ球（はアウト玉）となるべき遊技球に入賞口へ受け入れられるための再チャンスを与える装置を設けることで意外性を高め、興趣性を増大させ得る球遊技機を提供するものである。
【０００５】
【課題を解決するための手段】
請求項１記載の発明は、遊技盤面上を落下中の遊技球を受け入れて遊技状態に変更を与える入賞口と、入賞口に受け入れられない遊技球を回収するためのアウト口とを有する球遊技機において、アウト口に向かう遊技球の一部に対して再チャンスを与えるべく該一部の遊技球を入賞口への受け入れ可能な状態に戻す再チャンス付与装置を備えてなるものである。
【０００６】
この構成によれば、入賞口よりも下方に落下した場合、あるいは入賞条件中でない状態の入賞口例えば大当り入賞口が閉口している場合、すなわち入賞口に受け入れられない遊技球が、再チャンス付与装置により再度入賞口へ受け入れ可能な状態すなわち、入賞口よりも上方の位置に移送されたり、入賞タイミングまで貯留されたりされることとなる。
【０００７】
請求項２記載の発明は、請求項１記載の球遊技機において、前記入賞口は、遊技者に有利な遊技価値を確率的に付与するための始動入賞口であり、前記再チャンス付与装置は、前記始動入賞口よりも下方から上方に遊技球を移送する汲み上げ装置であり、前記汲み上げ装置は、落下中の遊技球であって前記汲み上げ装置に向けて落下してきた遊技球を収容する収容部と、前記収容部を前記始動入賞口よりも下方から上方の所定の位置まで移送して開放する移送手段とを備えることを特徴とする。この構成によれば、落下中の遊技球であって汲み上げ装置に向けて落下してきた遊技球は、この収容部で収容され、移送手段によりこの収容部が始動入賞口よりも上方の所定の位置まで移送されて開放される。
【０００８】
請求項３記載の発明は、請求項２記載の球遊技機において、前記収容部は少なくとも１個の遊技球が収納可能なバスケットであり、前記移送手段は、前記遊技盤面の前記始動入賞口よりも下方から上方に亘って切り欠かれたガイド孔と、前記遊技盤面の裏面側でガイド孔に沿って張設されたバスケット係合部と、バスケット係合部をガイド孔に沿って移動する移送駆動部とを有することを特徴とする。この構成によれば、バスケットで少なくとも１個の遊技球が収容可能にされ、収容された遊技球は、移送駆動部により始動入賞口よりも上方に移送されて開放される。
【０００９】
請求項４記載の発明は、請求項３記載の球遊技機において、前記ガイド孔は前記遊技盤面に対して周回形状に形成され、前記バスケット係合部は無端ベルトであり、前記移送駆動部は無端ベルトを所定方向に周回駆動するものであることを特徴とする。この構成によれば、バスケットは遊技盤面上を周回移動するので、始動入賞口よりも下方の位置と上方の位置とに移送される。
【００１０】
請求項５記載の発明は、請求項２記載の球遊技機において、前記収容部は少なくとも１個の遊技球が収納可能なバスケットであり、前記移送手段は、前記遊技盤面の前記始動入賞口よりも下方から上方に亘って切り欠かれた円環状のガイド孔と、前記遊技盤面の裏面側で前記ガイド孔の中心に回動軸を有し、該回動軸を回転させる移送駆動部と、前記回動軸から放射状に延設された少なくとも１本のスポークであって前記ガイド孔に対応する位置で前記バスケットと実質的に係合するバスケット係合部とを有することを特徴とする。この構成によれば、バスケットは遊技盤面上を回転移動するので、始動入賞口よりも下方の位置と上方の位置とに移送される。
【００１１】
請求項６記載の発明は、請求項３〜５のいずれかに記載の球遊技機において、前記遊技盤面上であって、前記バスケットが略上端位置に達したとき、該バスケットを収納遊技球を開放する姿勢に変更する姿勢変更部を備えたことを特徴とする。この構成によれば、バスケットは略上端位置に達したとき、姿勢変更部により収納遊技球を開放する姿勢に変更させられ、これにより始動入賞口より上方位置で収納遊技球が開放される。
【００１２】
請求項７記載の発明は、請求項２記載の球遊技機において、前記移送手段は、遊技盤面の裏面側に立直され、上端に開口が形成された円筒体と、前記円筒体の内部に軸周りに回転可能に配設されたスパイラル体と、円筒体の下端に入った遊技球を上端に移送して上端の開口から外方へ開放するべく前記スパイラル体を回転させる移送駆動部とを有し、前記収容部は、円筒体の側面であって遊技盤面に面した下端に遊技球を取り込む開口と、前記下端の開口近傍に落下してきた遊技球を該開口に誘導する誘導部材とを有することを特徴とする。この構成によれば、円筒体の下端の開口近傍に落下してきた遊技球は、円筒体内に収容され、スパイラル体の回転による遠心力を受けて上端まで上昇させられる。そして、上端の開口から、すなわち始動入賞口よりも上方で遊技盤面上に飛び出させられる。
【００１３】
請求項８記載の発明は、請求項１記載の球遊技機において、前記入賞口は、受け入れ口が所定の条件下で閉口から開口状態とされる大当り入賞口であり、前記再チャンス付与装置は、落下してくる遊技球を一時的に貯留する貯留装置であり、この貯留装置は、前記大当り入賞口の上方に配置され、複数の遊技球を貯留可能な貯留状態と下方に開放する開放状態とに切り換え可能な貯留部と、貯留部を前記所定の条件下で開放する切換部とを備えることを特徴とする。この構成によれば、遊技球の一部は大当り入賞口の上方に配置された貯留部に一時的に貯留され、大当り入賞口が所定の条件下で閉口から開口状態とされるとき開放され、高確率で大当り入賞口に受け入れられる。
【００１４】
請求項９記載の発明は、請求項８記載の球遊技機において、前記入賞口は、遊技者に有利な遊技価値を確率的に付与するための始動入賞口を備え、前記所定の条件は、前記遊技者に有利な遊技価値が付与されたことである。この構成によれば、再チャンスの遊技球が大当り入賞口へ入ることで遊技者に有利な遊技価値が付与される。
【００１５】
【発明の実施の形態】
図１は、本発明に係る球遊技機が適用されるパチンコ遊技機の一実施形態を示す外観構成図である。本パチンコ遊技機は、直方体形状の筐体（機器本体）を有し、その前面にゲーム面となる遊技盤面１が配設され、この遊技盤面１上のほぼ中央に配置された当たり外れ情報を複数種類の識別図柄画像を用いて演出表示する画像表示装置としての液晶表示器２と、液晶表示器２に周設された遊技球の誘導路となるループを内部に有するループ通路部３と、液晶表示器２及びループ通路部３の下方に配置された始動入賞口４（入賞口に相当）と、始動入賞口４の下方に配置された図略のソレノイド等の駆動部により閉口状態と遊技球を受け入れる開口状態とに切換可能にされた大当たり入賞口５（入賞口に相当）とを備える。また、遊技盤面１の左右一方、例えば右側には、遊技盤面１を落下する遊技球を受け止めて遊技盤面１の少なくとも始動入賞口４の上方まで移送し、入賞の再チャンスを与える役物装置としての再チャンス付与装置６が配設されている。再チャンス付与装置６の詳細は、第１実施形態として後述する。
【００１６】
筐体の適所、例えば右下部には、回動角度に応じた初速度で遊技球を上方に向けて打ち出す操作部（図示せず）が回動操作可能に設けられている。遊技盤面１上には、打ち出された遊技球を遊技領域８へ誘導するためのほぼ円弧状のガイドレール７が立設されている。遊技盤面１には、飾りランプや必要に応じて採用される他の入賞口等が配設されていると共に、打ち出された遊技球の落下速度あるいは方向を変化させるための所要数の障害釘、誘導釘及び風車（図示せず）等の役物が適所に植設されている。また、遊技盤面１の最下部には、遊技盤面１上のいずれの入賞口にも入賞しなかった遊技球を回収（排出）するためのアウト口９が設けられている。
【００１７】
なお、遊技盤面１の裏面側には、パチンコ遊技機の動作を制御する制御部（制御基板等）が配設されており、この制御部により始動入賞部４への入賞に伴う液晶表示器２での識別図柄の変動表示や大当たり状態の演出等の種々の演出が行われるようになっている。液晶表示器２は、詳細には示していないが、列方向に所定列分の例えば３列分の表示領域（表示位置）に区分けされ、各列に複数種類の識別図柄が表示可能にされており、始動入賞口４に遊技球が入ったことを受けて、制御部により、識別図柄の変動表示が各列で行われ、停止した各列の識別図柄が特定の組み合わせ関係にあるとき（例えば全て同一）、遊技者に有利な遊技価値を付与するようにしている。遊技価値の１つとして、大当たり入賞口５が閉口から開口状態に移行し、遊技球が入ることで通常時に比べて多くの賞球を獲得することができる。
【００１８】
１．再チャンス付与装置の第１実施形態について
第１実施形態に係る再チャンス付与装置６（汲み上げ装置に相当）の構成を、図１〜図２を参照しながら説明する。再チャンス付与装置６は、遊技球を所定数、例えば１個収納する上面凹形状を有するバスケットとしての球受け部６０（収容部に相当）と、球受け部６０を遊技盤面１上で周回移動させる移送装置６１（移送手段に相当）とを有する。移送装置６１は、遊技盤面１に、始動入賞口４よりも下方の位置から上方の位置に亘るように二重の円弧形状で、かつ上下側で連接された、すなわち周回路を形成するべく切り欠かれたスリット状のガイド孔６２と、遊技盤面１の裏面側であって、ガイド孔６２の上下両端に回動自在に立設されたローラ６３，６４、このローラ６３，６４間に掛け渡された無端ベルト６５、この無端ベルト６５をガイド孔６２に沿って張設するべく所要位置に設けられたベルトガイド用としての複数のコロ６６、及び一方の例えばローラ６４の回動軸に回転力を付与する駆動源としてモータ６７を備える。また、無端ベルト６５の適所には少なくとも１個、本実施形態では６個の球受け部６０と係合させる係合部材としての例えば回動ピン６８が固設されている。回動ピン６８は遊技盤面１から正面側に露呈し、その先端と球受け部６０の側面とが球受け部６０を回動自在に係合している。本実施形態では、球受け部６０は回動ピン６８が球受け部６０の重心位置より高い箇所で係合するようにして、通常姿勢で、遊技球を収納可能な姿勢に維持し得るようにしている。
【００１９】
図２は、最高位置近辺における球受け部の姿勢を説明する図で、（ａ）は回動（姿勢変更）直前の図、（ｂ）は回動中（姿勢変更中）の図である。図２において、球受け部６０は下部から下方に延設された所要長の片状乃至は棒状の当接部６０ａを有し、一方、遊技盤面１上には、球受け部６０が最高位置に達したときに、当接部６０ａが当接して球受け部６０を回動ピン６８周りに回動させる突状体６９（姿勢変更部に相当）が配置されている。従って、球受け部６０に遊技球が下方位置で収容された場合には、最高位置でこの遊技球が球受け部６０から開放され（図２（ｂ））、下方に、すなわち（ループ通路部３を経て）始動入賞口４に向けて落下することになるので、入賞の再チャンスが与えられることになる。
【００２０】
なお、第１実施形態では、以下の変形態様も採用可能である。
（１）コロ６６に変えて摩擦係数の低い長尺のガイド片などを適所に配置する態様としてもよく、これによっても同様な効果が得られる。
（２）突状体６９を最下位置直前に設けて、球受け部６０の下降中に落下してきて、収納した遊技球を一端開放（解除）し、最下位置からの収納を改めて開始する態様としてもよい。
（３）ガイド孔６２は周回状にしなくてもよく、上下方向に一重とし、モータ６７を駆動制御して往復動作するようにしてもよい。これによれば、ガイド孔６２の構造を簡素化できる。
（４）ループ通路部３は必要に応じて採用すればよい。ループ通路部３を不採用とする場合には、球受け部６０から開放された遊技球を高確率で始動入賞口４へガイドするべく釘の配置などを考慮すればよく、あるいは最上位置を始動入賞口４の上方位置乃至は直上方位置としてもよい。
（５）当接部６０ａと突状体６９に代えて、最上位置を移動中の球受け部６０が摺接することで、球受け部６０の姿勢が変更（回動）されるような摺接部材を遊技盤面１上に配置したものとしてもよい。
【００２１】
２．再チャンス付与装置の第２実施形態について
第２実施形態に係る再チャンス付与装置１６（汲み上げ装置に相当）の構成を、図３を参照しながら説明する。なお、図３において再チャンス付与装置１６以外の構成は、基本的に図１と同様であると共に、第１実施形態と同一符号が付されたものは同一機能を果たすものとする。
【００２２】
再チャンス付与装置１６は、遊技球を所定数、例えば１個収納する上面凹形状を有するバスケットとしての球受け部１６０（収容部に相当）と、球受け部１６０を遊技盤面１上で回転移動させる移送装置１６１（移送手段に相当）とを有する。移送装置１６１は、遊技盤面１を、始動入賞口４よりも下方の位置から上方の位置に亘るように円環状に切り欠いたスリット状のガイド孔１６２と、遊技盤面１の裏面側であって、ガイド孔１６２の中心に対応する位置に回動自在に立設された回転体１６３と、この回転体１６３から放射状に少なくとも１本、本実施形態では所定乃至は一定間隔で延設され、ガイド孔１６１に対面する長さを有するスポーク１６４と、回転体１６３に所定速度（一定速度を含む）の回転力を付与する駆動源としてモータ１６５とを備える。また、スポーク１６４の先端には球受け部６０を回動自在に係合する係合部材としての例えば回動ピン１６６が立設されている。回動ピン１６６は遊技盤面１から正面側に露呈し、その先端が球受け部１６０の側面で球受け部１６０を回動自在に係合している。本実施形態では、球受け部１６０は回動ピン１６６が球受け部１６０の重心位置より高い箇所で係合するようにして、通常姿勢で、遊技球を収納可能な姿勢に維持し得るようにしている。
【００２３】
球受け部１６０は下部から下方に延設された所要長の片状乃至は棒状の当接部１６０ａを有し、一方、遊技盤面１上には、球受け部１６０が最高位置乃至は多少越えた位置に達したときに、当接部１６０ａが当接して球受け部１６０を回動ピン１６６周りに回動させる突状体１６７（姿勢変更部に相当）が配置されている。従って、球受け部１６０に遊技球が下方位置で収容された場合には、最高位置でこの遊技球が球受け部１６０から開放され、下方（乃至は斜め下方）の始動入賞口４に向けて（本実施形態では複数本の釘などを介して）落下することになるので、入賞の再チャンスが与えられることになる。
【００２４】
なお、第２実施形態では、以下の変形態様も採用可能である。
（１）スポーク１６４を少なくとも１本（あるいは均等に３本）とし、その先端に円環状のリング体を一体的に取り付け、このリング体に球受け部１６０を回動ピン１６６を介して取り付けるようにしてもよい。このようにすれば、強度的に強固となり、また、ガイド孔１６２のスリットをリング体が覆うことができ、見栄えを損なわないようにできる。
（２）突状体１６７を最下位置などにも設けることで、最下位置から改めて遊技球の受け止め動作を開始することができる。
【００２５】
３．再チャンス付与装置の第３実施形態について
第３実施形態に係る再チャンス付与装置２６（汲み上げ装置に相当）の構成を、図４、図５を参照しながら説明する。図５は、図４のＡ―Ａ矢視図である。なお、図４，５において再チャンス付与装置２６以外の構成は、基本的に図１と同様であると共に、第１実施形態と同一符号が付されたものは同一機能を果たすものとする。
【００２６】
再チャンス付与装置２６は、遊技盤面１上の始動入賞口４の左右一方側、本実施形態では右側であって、始動入賞口４よりも下方の位置から上方の位置に亘る切欠部１ｂに略半分だけ嵌め込まれた形で配設される。再チャンス付与手段２６は、透明乃至は不透明材からなる上下方向に向けて配置された円筒体２６０と、同心状に内装された軸２６１ａを有するスパイラル形状のパドルであるスパイラル体２６１と、軸２６１ａの両端を軸支する軸受部２６２，２６３と、軸２６１ａに（スパイラル面が上方に変位する向きの）回転力を付与する駆動源としてのモータ２６４と、駆動力を伝達するギア系２６５ａ，２６５ｂとを有する。
【００２７】
円筒体２６０の上下両端で側面となる位置には、遊技球が通過可能な径を有する開口２６０ａ、２６０ｂが穿設されている。開口２６０ａは始動入賞口４よりも下方位置にあり、開口２６０ｂは始動入賞口よりも上方位置にあるようにされている。遊技盤面１上の開口２６０ａの近傍には、近くを落下する遊技球を開口２６０ａに誘導するガイド片１ｃ（誘導部材に相当）が配置されている。ガイド片１ｃは遊技盤面１に突設された略Ｌ字状の部材である。また、遊技盤面１上の開口２６０ｂの下端縁出口側には遊技球を始動入賞口４の方向へ誘導するべく、水平乃至は下方に所定角度だけ傾斜された所要長を有するガイド片１ｄが配設されている。円筒体２６０の遊技盤面１との位置固定は、本実施形態では軸受部２６３，２６４に嵌合形状を採用する等して実現している。
【００２８】
上記構成において、モータ２６４が駆動中で、かつ遊技中に、始動入賞口４に入らずに、その下方に落下する外れ球のうち、ガイド片１ｃ上に落下してきた遊技球が開口２６０ａから円筒体２６０内に入ると、この遊技球は、回転中のスパイラル体２６１により遠心力の作用を受けて円筒体２６０の内面とスパイラル体２６１面とを転動しながら、スパイラル体２６１面上を昇っていく。そして、最終的には開口２６０ｂから径方向（遊技盤面１と平行な方向）に飛び出す。飛び出した遊技球はガイド片１ｄによって方向が規制され、始動入賞口４に向けて落下することになる。この結果、始動入賞口４の下方に落下した、外れ球を再度始動入賞口４の上方に導くように再チャンスを付与することができる。
【００２９】
第３実施形態では、ガイド片１ｃと開口２６０ａとで収容部が構成され、上端の開口２６０ｂを有する円筒体２６０と、スパイラル体２６１と、モータ２６４とで移送手段が構成される。
【００３０】
なお、第３実施形態では、以下の変形態様も採用可能である。
（１）開口２６０ｂに対応するガイド片１ｄは必ずしも必須ではなく、遠心力を利用して所要の速度で飛び出すように、スパイラル体２６１の回転速度などを設定しておけばよい。また、遊技球を開口２６０ａにガイドする誘導部材としてはガイド片１ｃの構造に限定されず、ガイド用の短尺の筒体とか複数の釘とか他の役物を利用して構成したものでもよい。また、誘導部材は固定形状に限定されず、遊技進行状況等に応じて誘導状態、非誘導状態に切り替わる構成としてもよく、また、同様な状況に応じて誘導範囲が可変される構成としてもよい。これらの構造の切換は、ソレノイド等の切換駆動部を利用して行うことができる。
（２）円筒体２６０を透明乃至は半透明材とするときは、円筒体２６０内の遊技球の開口２６０ｄからの飛び出しタイミングが予測し得る。また、円筒体２６０内に何個の再チャンスとしての遊技球があるかが視認できる。
（３）円筒体２６０は鉛直方向の他、傾斜して配置してもよい。また、おもて面側の半分が遊技盤面１から露呈しているが、おもて面が遊技盤面１と略面一となる程度に埋設されてもよい。この場合、上下端の開口はおもて面側に形成すればよい。
（４）モータ２６４の駆動速度（回転速度）は一定である必要はなく、遊技の進行状況に応じて変動させる態様としてもよく、これにより遊技性、変化性をより高めることができる。
【００３１】
４．再チャンス付与装置の第４実施形態について
第４実施形態に係る再チャンス付与装置３６（貯留装置に相当）の構成を、図６を参照しながら説明する。図６（ａ）は側面断面図、（ｂ）は遊技球の貯留時の概略正面図、（ｃ）は遊技球の開放時の概略正面図である。なお、図６において再チャンス付与装置３６以外の構成は、基本的に図１と同様であると共に、第１実施形態と同一符号が付されたものは同一機能を果たすものとする。
【００３２】
再チャンス付与装置３６は、図６（ａ）に示すように、少なくとも大当り入賞口５よりも上方に、本実施形態では、さらに始動入賞口４よりも下方に貯留部３６１を設けると共に、貯留部３６１を貯留状態と開放状態とに切り換える切換部としてのソレノイド３６２とを有して構成される。
【００３３】
貯留部３６１は遊技盤面１の上面に鉛直方向に所定間隔をおいて配置された３枚の側壁３６１ａ，３６１ｂ，３６１ｃ及びその底壁３６１ｄとから構成されている。両側の側壁３６１ａ，３６１ｃは所要数の遊技球が収納可能な上下方向寸法例えば遊技球の直径の略２倍に設定され、中央の側壁３６１ｂはそれ以下、例えば略半分の高さに設定されている。
【００３４】
底壁３６１ｄに対応する遊技盤面１には横長の貫通孔１ｅが穿設されており、その裏面側には底壁３６１ｄを遊技盤面１に対して出没させるためのソレノイド３６２が配設されている。そして、底壁３６１ｄの基端側がソレノイド３６２のプランジャ３６２ａの先端に結合されており、これにより、ソレノイド３６２がオフの状態でプランジャ３６２ａが前方に突出して底壁３６１ｄを遊技盤面１から吐出させ、オンの状態でプランジャ３６２ａが後方に引っ込んで底壁３６１ｄを遊技盤面１から没入させる。底壁３６１ｄが吐出状態では貯留部３６１に落下してきた遊技球はこの貯留部３６１で受け止められ、底壁３６１ｄが没入されると、貯留されていた遊技球は開口され、下方の大当り入賞口５に向かって落下させられる。
【００３５】
球遊技機の動作を制御する前述の制御部は、始動入賞部４への入賞に伴う液晶表示器２での識別図柄の変動によって識別図柄が特定の組み合わせ関係を有して停止すると、大当たり入賞口５を閉口から開口状態に移行させると共に、ソレノイド３６２に対して、オフ状態をオン状態に切り換える電気信号を送出し、貯留部３６１を貯留状態から開放状態に移行する。従って、通常時は始動入賞口４より下方に落下した外れ球は閉口された大当り入賞口５の表面をそのまま通過してアウト口９に流れるが、落下路の一部領域に貯留部３６１を設けることで、外れ球を一時的に貯留し、開放時には高い確率で開口された大当り入賞口５に導くことができるという遊技者に有利な遊技状態を再チャンスとして付与できる。
【００３６】
なお、図６には大当り入賞口５の直ぐ横に始動入賞口４と同様な機能を行う始動入賞口４′が設けられている態様であり、この始動入賞口４′用として貯留部３６１には側壁３６１ｃが設けられている。すなわち、側壁３６１ｂと側壁３６１ｃとの間に貯留された遊技球の大半は始動入賞口４′に向かって落下するように位置設定されており、これにより遊技者にさらに有利な遊技価値を提供するための再チャンスが付与できる。
【００３７】
なお、第４実施形態では、以下の変形態様も採用可能である。
（１）始動入賞口４′を設けない態様では側壁３６１ｃは設けなくてもよい。
（２）底壁３６１ｄは通常時に閉口状態であるが、これに代えて、始動入賞口４に遊技球が入った時点から閉口状態に移行し、識別図柄の変動によって特定の組み合わせが成立、すなわち大当りとなった時点で開放する態様としてもよい。このように、貯留時間を制限することで、より興趣性と熟練性の向上とを煽ることができる。
（３）底壁３６１ｄが出没する態様の他、全体が出没する態様、遊技盤面と平行な水平軸周りの回動によって底壁が開放される態様、底壁３６１ｄの左右一方端に遊技盤面１に立直する軸を設け、この軸周りに回動する態様でもよい。あるいは底壁３６１ｄが左右方向にスライドする態様でもよい。
【００３８】
また、第１〜第４実施形態では、再チャンス付与装置６，１６，２６，３６を遊技盤面１上の右側に配設しているが、本発明における再チャンス付与装置は遊技盤面１の左右一方側でもよいし、両側でもよい。ただし、通常のパチンコ遊技機では、遊技盤面１上の遊技球の流れが左側が主となっており、上記の実施形態のように再チャンス付与装置を遊技盤面１上の右側に配設することで、遊技球の流れが比較的少ない遊技盤面１の右側のスペースを有効に活用することができる。また、再チャンス付与装置は再チャンス付与装置６，１６，２６に代えて種々の構成が採用可能である。例えば始動入賞口４の下方に球打ち上げ機構を採用し、落下してきた遊技球が当接すると、この衝撃をセンサ等で感知してソレノイド等を利用した打ち上げ機構で上方少なくとも始動入賞口４より上方に移動するようにしてもよい。あるいは周期的に打ち上げ動作を行っており、タイミング的に打ち上げ位置に落下してきた遊技球があれば、これを例えばガイドレール７に沿った方向に打ち出すものとしてもよい。
【００３９】
【発明の効果】
請求項１記載の発明によれば、入賞口よりも下方に落下した場合、あるいは入賞条件中でない状態の入賞口例えば大当り入賞口が閉口している場合、すなわち入賞口に受け入れられない遊技球に対して、再チャンス付与装置によって再度入賞口へ受け入れ可能な状態すなわち、入賞口より上方位置に移送したり、入賞タイミングまで貯留したりすることで、再チャンスを付与できる。
【００４０】
請求項２記載の発明によれば、落下中の遊技球であって汲み上げ装置に向けて落下してきた遊技球を始動入賞口よりも上方の所定の位置で開放でき、再チャンスを付与できる。
【００４１】
請求項３〜５記載の発明によれば、バスケットに収容された遊技球を始動入賞口よりも上方で開放でき、再チャンスを付与できる。
【００４２】
請求項６記載の発明によれば、略上端位置で確実に収納遊技球を開放できる。
【００４３】
請求項７記載の発明によれば、遊技球を個別の収容部を用いることなく、始動入賞口よりも上方に移送できる。
【００４４】
請求項８記載の発明によれば、本来外れ球となるべき遊技球を高確率で大当り入賞口に導くという再チャンスを付与できる。
【００４５】
請求項９記載の発明によれば、再チャンスの遊技球を大当り入賞口へ導くことで遊技者に有利な遊技価値が付与できる。
【図面の簡単な説明】
【図１】本発明に係る球遊技機が適用されるパチンコ遊技機の第１実施形態を示す外観構成図である。
【図２】図１における最高位置近辺における球受け部の姿勢を説明する図で、（ａ）は回動（姿勢変更）直前の図、（ｂ）は回動中（姿勢変更中）の図である。
【図３】本発明に係る球遊技機が適用されるパチンコ遊技機の第２実施形態を示す外観構成図である。
【図４】本発明に係る球遊技機が適用されるパチンコ遊技機の第３実施形態を示す外観構成図である。
【図５】図４のＡ―Ａ矢視図である。
【図６】第４実施形態に係る再チャンス付与装置の構成図で、（ａ）は側面断面図、（ｂ）は遊技球の貯留時の概略正面図、（ｃ）は遊技球の開放時の概略正面図である。
【符号の説明】
１　遊技盤面
２　液晶表示器
４　始動入賞部
５　大当たり入賞口
６，１６，２６，３６　再チャンス付与装置
９　アウト口
６０　球受け部
６１　移送装置
６２　ガイド孔
６３，６４　ローラ
６５　無端ベルト
６６　コロ
６７　モータ
６８　回動ピン
６９　突状体
１６０　球受け部
１６０ａ　当接部
１６１　移送装置
１６２　ガイド孔
１６３　回転体
１６４　スポーク
１６５　モータ
１６６　回動ピン
１６７　突状体
２６０　円筒体
２６０ａ、２６０ｂ　開口
２６１　スパイラル体
２６２，２６３　軸受部
２６４　モータ
２６５ａ，２６５ｂ　ギア系
１ｃ，１ｄ　ガイド片
３６１　貯留部
３６１ａ，３６１ｂ，３６１ｃ　側壁
３６１ｄ　底壁
３６２　ソレノイド
３６２ａ　プランジャ
【図１】
2004049632.tif 000003
【図２】
2004049632.tif 000004
【図３】
2004049632.tif 000005
【図４】
2004049632.tif 000006
【図５】
2004049632.tif 000007
【図６】
2004049632.tif 000008